(57)【特許請求の範囲】
【請求項１】
一方の建物の外側通路の端部の床躯体に形成された目地プレート後端部支持凹部と、この目地プレート後端部支持凹部と目地部を介して対応する部位の他方の建物の外側通路の端部の床躯体に形成された目地プレート先端部支持凹部と、前記目地プレート後端部支持凹部に先端部が上方へ回動可能に後端部が枢支され、先端部が前記目地プレート先端部支持凹部を覆うように支持された目地プレートと、この目地プレートの外側通路の外壁側の後端部を除く部位に形成された地震によって一方の建物と他方の建物が異なる前後左右方向に揺れ動いた場合に、他方の建物の外側通路の外壁が衝突するのを防止する切り欠き部と、この目地プレート上にスライド移動可能に取付けられた、前記切り欠き部を覆うことができる目地カバーと、この目地カバーを常時他方の建物の外側通路の外壁に固定、あるいは外壁に当接するように付勢する付勢機構とからなることを特徴とする外側通路用目地装置。
【請求項２】
目地プレートは切り欠き部が形成された端部目地プレートと、この端部目地プレートと並列される少なくとも1個以上の並列目地プレートとで構成されていることを特徴とする請求項1記載の外側通路用目地装置。
【請求項３】
付勢機構は目地プレートに形成された少なくとも２個以上の前後方向のガイド孔と、このガイド孔内にスライド移動可能に取付けられた少なくとも２個以上のガイドピンと、このガイドピンの先端部を固定する目地カバーの端部を下方へ折り曲げて形成した側板と、前記ガイドピンを常時外方へ突出するように付勢する、前記ガイド孔に設けられた付勢スプリングとで構成されていることを特徴とする請求項１、２いずれかに記載の外側通路用目地装置。
【発明の詳細な説明】
【技術分野】
【０００１】
本発明は目地部を介して設けられた一方の建物と他方の建物の外側通路を接続する外側通路用目地装置に関する。
【背景技術】
【０００２】
従来、この種の一方の建物の外側通路の目地部側端部に後端部が支持された目地プレートを備える外側通路用目地装置は、目地プレートの先端部側の端部と当接する部位の外壁に目地プレートが入り込む切り欠き部を形成して、地震で一方の建物と他方の建物が異なる前後方向へ揺れ動いた場合、目地プレートが外壁と衝突して損傷するのを防止できるように構成している。
【０００３】
しかしながら、目地プレートの先端部側の端部が他方の建物の外壁と離れるように揺れ動いた場合に、目地プレートの端部と外壁との間に隙間が生じ、危険な状態となる欠点があった。
【特許文献１】特になし
【発明の開示】
【発明が解決しようとする課題】
【０００４】
本発明は以上のような従来の欠点に鑑み、一方の建物と他方の建物が異なる前後左右方向に揺れ動いても、目地部に隙間が生じることなく覆うことができる、構造が簡単で、容易に設置することができる安全な外側通路用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の建物の外側通路の端部の床躯体に形成された目地プレート後端部支持凹部と、この目地プレート後端部支持凹部と目地部を介して対応する部位の他方の建物の外側通路の端部の床躯体に形成された目地プレート先端部支持凹部と、前記目地プレート後端部支持凹部に先端部が上方へ回動可能に後端部が枢支され、先端部が前記目地プレート先端部支持凹部を覆うように支持された目地プレートと、この目地プレートの外側通路の外壁側の後端部を除く部位に形成された地震によって一方の建物と他方の建物が異なる前後左右方向に揺れ動いた場合に、他方の建物の外側通路の外壁が衝突するのを防止する切り欠き部と、この目地プレート上にスライド移動可能に取付けられた、前記切り欠き部を覆うことができる目地カバーと、この目地カバーを常時他方の建物の外側通路の外壁に固定、あるいは外壁に当接するように付勢する付勢機構とで外側通路用目地装置を構成している。
【発明の効果】
【０００７】
以上の説明から明らかなように、本発明にあっては次に列挙する効果が得られる。
【０００８】
（１）一方の建物と他方の建物が異なる前後方向へ揺れ動いた場合、他方の建物の外側通路の外壁が目地プレートの切り欠き部へ入り込むように移動して、目地カバーを同方向へスライド移動させたり、目地プレートより外壁が離れる場合、目地カバーが付勢スプリングによって外壁と離れないようにスライド移動して、その揺れ動きを吸収する。
したがって、従来のように目地プレートと他方の建物の外側通路の外壁との間に隙間が生じないので、安全に使用することができる。
【０００９】
（２）目地プレートの切り欠き部と、この切り欠き部が形成された目地プレートを覆う目地カバーの取付けでよいので、構造が簡単で、容易に設置することができる。
【００１０】
（３）目地プレートの後端部を一方の建物の外側通路の目地部側端部に、先端部が上方へ回動可能に取付けることができるので、目地プレートを一方の建物に確実に取付けることができ、安全に使用できる目地プレートを使用することができる。
【発明を実施するための最良の形態】
【００１１】
以下、図面に示す本発明を実施するための最良の形態により、本発明を詳細に説明する。
【００１２】
図１ないし図８に示す本発明を実施するための最良の第１の形態において、１は一方の建物２の外側通路３と目地部４を介して設けられた他方の建物５の外側通路６とを接続する本発明の外側通路用目地装置で、この外側通路用目地装置１は一方の建物２の外側通路３の目地部側端部の床躯体３ａに形成された目地プレート後端部支持凹部７と、この目地プレート後端部支持凹部７と対応する他方の建物５の外側通路６の目地部側端部の床躯体６ａに反目地部側が傾斜面８に形成された目地プレート先端部支持凹部９と、前記目地プレート後端部支持凹部７に先端部が上方へ回動可能に支持され、先端部が前記目地プレート先端部支持凹部９を覆うように支持された先端部下部が傾斜面１０、１０の目地プレート１１、１１Ａと、この目地プレート１１、１１Ａの前記他方の建物５の外側通路６の外壁１２側の後端部を除く部位に形成された、地震によって前記一方の建物２と他方の建物５が異なる前後左右方向に揺れ動いた場合に、他方の建物５の外側通路６の外壁１２が衝突するのを防止する切り欠き部１３と、この切り欠き部１３が形成された目地プレート１１Ａ上にスライド移動可能に取付けられた、該切り欠き部１３を覆うことができる目地カバー１４と、この目地カバー１４を常時他方の建物５の外側通路６の外壁１２に当接するように付勢する、前記目地プレート１１、１１Ａに形成された前後方向のガイド孔１５、１５を形成するガイドパイプ１６、１６、このガイドパイプ１６、１６のガイド孔１５、１５内をスライド移動する、前記目地カバー１４の端部を下方へ折り曲げて形成した側板１７に固定されたガイドピン１８、１８、このガイドピン１８、１８を常時外方へ突出するように押し圧する、前記ガイドパイプ１６、１６内に設けられた付勢スプリング１９、１９とからなる付勢機構２０とで構成されている。
なお、２１は前記外側通路３、６の目地部４側の外壁１２、１２間に設けられた手摺である。
【００１３】
前記目地プレート１１、１１Ａは後部の両端部寄りの部位に形成された支持筒２２、２２、２２、２２内に位置するように、前記目地プレート後端部支持凹部７に固定されたクサビ状の支持ピン２３、２３、２３、２３で支持されている。
【００１４】
前記目地カバー１４は図５に示すように、前記目地プレート１１Ａの切り欠き部１３の幅寸法の約２倍の幅寸法の目地カバー本体２４と、この目地カバー本体２４の後端部を下方へ折り曲げ、目地プレート１１Ａの後端部に固定されたガイド部材２５とスライド移動可能に係合する係合片２６とで構成されている。
【００１５】
上記構成の外側通路用目地装置１は通常時には図１および図２に示すように、一方の建物２の外側通路３と他方の建物５の外側通路６との間の目地部４を目地プレート１１、１１Ａおよび目地カバー１４で覆われている。
【００１６】
地震で、一方の建物２と他方の建物５とが異なる前後方向へ揺れ動いた場合、他方の建物５の外側通路６の外壁１２が目地プレート１１Ａ方向へ移動した場合、図６に示すように目地カバー１４を付勢機構２０の付勢スプリング１９、１９の付勢力に抗して押し圧してスライド移動させ、目地プレート１１Ａの切り欠き部１３内へ入り込んで、その揺れ動きを吸収する。
【００１７】
他方の建物５の外側通路６の外壁１２が目地プレート１１Ａより離れる方向へ移動した場合、図７に示すように目地カバー１４は付勢機構２０の付勢スプリング１９、１９の付勢力で外壁１２と当接した状態で、目地プレート１１Ａ上をスライド移動して、目地プレート１１Ａと外壁１２との間に生じる隙間を目地カバー１４で覆って、隙間が生じるのを防止する。
【００１８】
一方の建物２と他方の建物５とが異なる左右方向に揺れ動いた場合には、図８に示すように目地プレート１１、１１Ａの先端部が目地プレート先端部支持凹部９内をスライド移動し、その揺れ動きを吸収する。
なお、揺れ動きが停止すると、自動的に元の状態へ戻る。
[発明を実施するための異なる形態]
【００１９】
次に、図９ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図９ないし図１１に示す本発明を実施するための第２の形態において、前記本発明を実施するための最良の第１の形態と主に異なる点は、金属材製の浅筒状のフレーム２７にモルタル２８を介してタイル等の床化粧材２９が固定された目地プレート本体３０、３０Ａ、この目地プレート本体３０、３０Ａの先端部にヒンジ部材３１、３１を介して回動可能な補助カバー３２、３２を用いた目地プレート１１Ｂ、１１Ｃを用いた点で、このような目地プレート１１Ｂ、１１Ｃを用いて構成した外側通路用目地装置１Ａにしても、前記本発明を実施するための最良の第１の形態と同様な作用効果が得られる。
【００２１】
図１２ないし図１４に示す本発明を実施するための第３の形態において、前記本発明を実施するための最良の第１の形態と主に異なる点は、目地部４を１個の切り欠き部１３を形成した目地プレート１１Ｄで覆った点で、このような目地プレート１１Ｄを用いて構成した外側通路用目地装置１Ｂにしても、前記本発明を実施するための最良の第１の形態と同様な作用効果が得られる。
【００２２】
図１５ないし図１７に示す本発明を実施するための第４の形態において、前記本発明を実施するための最良の第１の形態と主に異なる点は、目地プレート１１Ｅぬよりもひとまわり小さな目地カバー本体２４Ａ、この目地カバー本体２４Ａの端部をほぼ直角に折り曲げて形成した取付け板３３を他方の建物５の外側通路６の外壁１２に複数本のタッピングビス３４等で固定した点で、このように構成した外側通路用目地装置１Ｃにしても、前記本発明を実施するための最良の第１の形態と同様な作用効果が得られる。
【産業上の利用可能性】
【００２３】
本発明は外側通路用目地装置を製造する産業で利用される。
【図面の簡単な説明】
【００２４】
【図１】本発明を実施するための最良の第１の形態の平面図。
【図２】図１の２−２線に沿う断面図。
【図３】図１の３−３線に沿う断面図。
【図４】本発明を実施するための最良の第１の形態の目地プレートの説明図。
【図５】本発明を実施するための最良の第１の形態の目地カバーの説明図。
【図６】本発明を実施するための最良の第１の形態の目地プレート方向へ他方の建物が揺れ動いた説明図。
【図７】本発明を実施するための最良の第１の形態の目地プレートから離れる方向へ他方の建物が揺れ動いた説明図。
【図８】本発明を実施するための最良の第１の形態の異なる左右方向に揺れ動いた説明図。
【図９】本発明を実施するための第２の形態の平面図。
【図１０】図９の１０−１０線に沿う断面図。
【図１１】図９の１１−１１線に沿う断面図。
【図１２】本発明を実施するための第３の形態の平面図。
【図１３】図１２の１３−１３線に沿う断面図。
【図１４】図１２の１４−１４線に沿う断面図。
【図１５】本発明を実施するための第４の形態の平面図。
【図１６】図１５の１６−１６線に沿う断面図。
【図１７】図１５の１７−１７線に沿う断面図。
【符号の説明】
【００２５】
１、１Ａ、１Ｂ、１Ｃ：外側通路用目地装置、
２：一方の建物、                            ３：外側通路、
４：目地部、                                  ５：他方の建物、    
６：外側通路、                                ７：目地プレート後端部支持凹部、
８：傾斜面、                                    ９：目地プレート先端部支持凹部、
１０：傾斜面、
１１、１１Ａ、１１Ｂ、１１Ｃ、１１Ｄ、１１Ｅ：目地プレート、
１２：外壁、                                    １３：切り欠き部、
１４：目地カバー、                        １５：ガイド孔、
１６：ガイドパイプ、                    １７：側板、
１８：ガイドピン、                        １９：付勢スプリング、
２０：付勢機構、                            ２１：手摺、
２２：支持筒、                                ２３：支持ピン、
２４、２４Ａ：目地カバー本体、２５：ガイド部材、
２６：係合片、                                ２７：フレーム、
２８：モルタル、                            ２９：床化粧材、
３０：目地プレート本体、            ３１：ヒンジ部材、
３２：補助カバー、                        ３３：取付け板、
３４：タッピングビス。
【図１】
0004814180.tif 000002
【図２】
0004814180.tif 000003
【図３】
0004814180.tif 000004
【図４】
0004814180.tif 000005
【図５】
0004814180.tif 000006
【図６】
0004814180.tif 000007
【図７】
0004814180.tif 000008
【図８】
0004814180.tif 000009
【図９】
0004814180.tif 000010
【図１０】
0004814180.tif 000011
【図１１】
0004814180.tif 000012
【図１２】
0004814180.tif 000013
【図１３】
0004814180.tif 000014
【図１４】
0004814180.tif 000015
【図１５】
0004814180.tif 000016
【図１６】
0004814180.tif 000017
【図１７】
0004814180.tif 000018